(57)【要約】【課題】通帳に顧客の希望する絵柄等の情報を印刷するための通帳印刷用アダプタを提供すること。【解決手段】 印刷されるべき通帳Ｐを嵌合させる凹部１２ａを形成した通帳保持部１２と、前記凹部１２ａに突設し、通帳Ｐの綴部Ｐｂの位置を規制する第１の通帳規制部１１ａと、通帳Ｐの先端部の位置を規制する第２の通帳規制部１１ｂを設ける。【選択図】 図１
2007317115.tif 000002
【特許請求の範囲】
【請求項１】
印刷されるべき通帳を嵌合させる凹部を形成した通帳保持部と、前記凹部に突設し、前記通帳の綴部の位置を規制する第１の通帳規制部と、前記通帳の先端部の位置を規制する第２の通帳規制部を設けたことを特徴とする通帳印刷用アダプタ。
【請求項２】
前記第１、第２の通帳規制部は通帳印刷用アダプタの表面部と同一平面状にある請求項１記載の通帳印刷用アダプタ。
【請求項３】
前記第１、第２の通帳規制部は前記凹部に嵌合した前記通帳の浮き上がりを防止する請求項１記載の通帳印刷用アダプタ。
【請求項４】
前記第１の通帳規制部は前記凹部に嵌合した前記通帳の綴部のみに係合する位置に設けた請求項１記載の通帳印刷用アダプタ。
【請求項５】
前記第１の通帳規制部の端縁は曲線構成とした請求項１記載の通帳印刷用アダプタ。
【請求項６】
前記第１の通帳規制部は前記凹部に嵌合した前記通帳の綴部を含み略半分以上を覆っている請求項１記載の通帳印刷用アダプタ。
【請求項７】
前記第１の通帳規制部の表面に、前記通帳に設けられた磁気ストライプの位置を表現した請求項１記載の通帳印刷用アダプタ。
【請求項８】
前記第２の通帳規制部は前記凹部の一側面のうち、前記通帳の角部に係合する位置に突設した請求項１記載の通帳印刷用アダプタ。
【請求項９】
前記第２の通帳規制部は前記凹部の一側面のうち、前記通帳の上端部に係合する位置に突設した請求項１記載の通帳印刷用アダプタ。
【請求項１０】
前記第２の通帳規制部は少なくとも前記通帳を覆う部分が透光部材である請求項１に記載の通帳印刷用アダプタ。
【請求項１１】
前記通帳保持部の厚さは、前記通帳の厚さの略半分である請求項１記載の通帳印刷用アダプタ。
【請求項１２】
前記通帳保持部に形成した前記凹部の底面より押し上げることにより、嵌合している前記通帳を着脱可能とした請求項１記載の通帳印刷用アダプタ。
【請求項１３】
前記凹部よりの押し上げは、前記凹部の底面に貫設した抜孔より可能とした請求項１２記載の通帳印刷用アダプタ。
【請求項１４】
前記凹部よりの押し上げは、前記凹部の底面の一部を弾性変形させることにより可能とした請求項１２記載の通帳印刷用アダプタ。
【請求項１５】
通帳を保持する台紙と、
前記通帳の見開き頁に略一致する外形でくり抜いた凹部を形成する通帳保持部と、
前記凹部からの通帳浮き上がリを規制する通帳規制部とを設け、
前記台紙と前記通帳保持部と前記通帳規制部を三層に重ね合わせた構成としたことを特徴とする通帳印刷用アダプタ。
【発明の詳細な説明】
【技術分野】
【０００１】
本発明は金融機関で使用される通帳の表紙に顧客が希望する画像を形成できる通帳印刷用アダプタに関する。
【背景技術】
【０００２】
銀行等の金融機関で広く用いられる自動取引装置で、顧客に対して通帳を発行することができる通帳発行機能を備え、顧客が持参した写真やイラスト等の画像をイメージスキャナで読み取り、通帳の表紙にカラー印刷して発行するものがある。（例えば、特許文献１参照）。
また、一般的な民生用にパーソナルコンピュータが普及し、かつ安価なカラープリンタも入手できる。更にパーソナルコンピュータで作成した資料やデジタルカメラの撮影画像等をコンパクトディスク媒体に記憶することが可能であり、このコンパクトディスク媒体の識別(管理)目的として、前記カラープリンタを利用して表面に情報印刷する。しかしながら、コンパクトディスク媒体は剛体（非可撓性）であるため、湾曲搬送できず専用のコンパクトディスクトレーを利用して印刷している（例えば、特許文献２参照）。
コンパクトディスク（光ディスク）への印刷については、光ディスクがセット可能な凹部を設けた搬送用トレイがある。この凹部は、ドーナツ形状の１２ｃｍ光ディスク用と８ｃｍ光ディスク用、更には長方形状をなすカードサイズ光ディスク用がある（例えば、特許文献３参照）。
【特許文献１】特開２０００−１３２７３０号公報（段落００１８、００２７）
【特許文献２】特開２００３−１１２４５８号公報（段落００２２、００２３、図７）
【特許文献３】特開２００４−９６９９号公報（段落００４９）
【発明の開示】
【発明が解決しようとする課題】
【０００３】
上記従来技術において、自動取引装置で通帳の表紙にカラー印刷するために、装置内にカラー印刷機能を保有させることになる。しかしながら、通帳への印字の多くは「黒色文字」印刷で十分なことと、表紙等にカラー印刷するとしても通帳発行頻度の低さ等からカラー印刷機能を付加させていないのが実情である。更に、カラー印刷機能を付加させると装置の大型化となり採用は進んでいないのが現実である。
剛体（非可撓性）であるコンパクトディスク媒体（光ディスク）で、ドーナツ形状の光ディスクと長方形状をなすカードサイズ光ディスクへの印刷も可能なトレイがある。特に、ドーナツ形状の光ディスクは中央の嵌合穴でトレイに対する挿入位置は決定され、長方形状をなすカードサイズ光ディスクであっても、中央の嵌合穴でセット位置が決まる。しかしながら、中央に嵌合穴を有しない通帳という冊子形状を有する媒体は考慮されていない。
本発明は、このような課題に対して発明されたものであって、安価な設備にて通帳に顧客の希望する絵柄等の情報を印刷するための通帳印刷用アダプタを提供することを目的とする。
【課題を解決するための手段】
【０００４】
上記課題を解決するために本発明は、印刷されるべき通帳を嵌合させる凹部を形成した通帳保持部と、前記凹部に突設し、前記通帳の綴部の位置を規制する第１の通帳規制部と、前記通帳の先端部の位置を規制する第２の通帳規制部を設ける。
【発明の効果】
【０００５】
本願発明は、通帳に顧客の希望する絵柄等の情報を安価な設備にて印刷することができるという効果がある。
【発明を実施するための最良の形態】
【０００６】
以下、図面に従って実施の形態例を説明する。図１は本発明の通帳印刷用アダプタの使用概念図であり、図２は本発明の通帳印刷用アダプタを使用する通帳印刷システムの概念図である。
図において、１は通帳印刷用アダプタ（以後、単にアダプタと称する）であり、２は金融機関が管理し維持するパーソナルコンピュータ(以後、パソコンと称する)であり、処理すべき情報の入力を行うキーボード部２１、情報を表示する液晶カラーディスプレイ(以後、表示部と称する)２２および制御部２３により構成される。なお、このパソコン２には外部装置との接続口を有し、例えばイメージスキャナ３や後述するプリンタ４が接続され、更には外部の情報記録媒体５の挿入を受けて、その情報記録媒体５内に電子的に格納されている情報を読み出すことができる。また、制御部２３には図示しない記憶部２３１があり、画像を編集するための編集プログラムや情報記録媒体５から読み取った情報やイメージスキャナ３が読み取った画像情報を格納する。
【０００７】
イメージスキャナ３は写真５ａに対して、カラーイメージ読取を行えるものであり、４はパソコン２と回線接続された前述のプリンタであって、所定の操作により文字情報やイメージ情報を印刷出力できる。このプリンタ４の印刷方式としては、インクジェット方式または熱転写方式とするが、被印刷媒体として光ディスクへの印刷が可能な水平搬送方式とする。また、イメージスキャナ３とプリンタ４を動作させるためのプログラム等はプリンタ４内及びパソコン２内に予めインストールしてあるものとするが、イメージスキャナ機能とプリンタ機能、更には情報記録媒体５から直接的に情報を取り込める多機能プリンタであってもよく、且つ、広く市販されているものでよい。
【０００８】
図１はアダプタの一例で、図１（ａ）は平面図であり、図１（ｂ）は図１（ａ）におけるＡＡ断面図で、図１（ｃ）は図１（ａ）におけるＢＢ断面図である。
Ｐは印刷される通帳であって、図１（ａ）では開かられた状態を示し、上方には印刷領域Ｐａが設定され、また中央部には綴部Ｐｂがある。また通帳Ｐの四隅はＲ(アール)形状となっている。
アダプタ１は、表面部１１、通帳保持部１２、台紙１３の三層をそれぞれ固着した状態で構成される。通帳保持部１２には通帳Ｐの見開き頁サイズの凹部１２ａが設けられていて、台紙１３と表面部１１で囲むことによって、通帳Ｐを状差し状に保持する。１１ａは通帳Ｐの見開き頁の略下半分を覆う第１の通帳規制部で、１１ｂは通帳Ｐの上端側の２つの角部を覆う第２の通帳規制部である。第２の通帳規制部１１ｂは図示するように通帳Ｐの上端の角部を覆うように斜めに凹部１２ａ側に突設している。この表面部１１側により通帳Ｐをアダプタ１に固定できる。また表面部１１は透光部材を使用し、通帳Ｐの挿入状況を確認できるようにする。
【０００９】
１４はアダプタ１のプリンタの受入方向を目視誘導する為の指示マークであって、矢印や文字情報や図示情報としてアダプタ表面に表示されている。なお、指示マーク１４は通帳保持部１２上に印刷しておき、透光部材である表面部１１を透して見えるようにしても良い。
アダプタ１の基材はポリエチレンテレフタレートやポリカーボネート等のプラスチックであり、外形はＡ４サイズ（横２１０ｍｍ、縦２９７ｍｍ）、厚さ３ｍｍ程度である。なお、使用するプリンタに応じて外形サイズは適宜決定できることは言うまでもない。
図１（ｂ）に示す凹部１２ａは、アダプタ１の表面から閉通帳の全厚の略半分に相当する深さＨ（例えば、１．５ｍｍ程度）を有し、開通帳サイズ（例えば、横幅１４０ｍｍ、縦幅１７５ｍｍ）に隙間(例えば、０．５ｍｍ)を加えた大きさである。また、凹部１２ａの周囲、即ち、通帳Ｐが嵌合する部位の周囲全面は同一平面とし、プリンタ４による印刷,搬送の障害にならないように構成されている。
なお、使用する通帳Ｐに応じて凹部１２ａのサイズを適宜決定できることは言うまでもない。
【００１０】
図３は本発明の通帳印刷用アダプタの使用概念を表わす斜視図であり、図４は図３のＣＣ断面矢視図を示し、図５は通帳印刷用アダプタに通帳を装填する時のＣＣ断面矢視図を示す。
通帳Ｐを中央頁で開き、印刷領域Ｐａ面を上面側に向けて、絵柄を印刷しない通帳下頁Ｐｃの方、即ち、図３に示す矢印Ｄの方向から、アダプタ１の台紙１３と通帳保持部１２と第１の通帳規制部１１ａによって形成された袋状の凹部１２ａに、通帳Ｐを差し込んで固定する。第１の通帳規制部１１ａの通帳Ｐとの端縁１１ｃは曲線状であり、通帳Ｐの綴部Ｐｂと接触する部分を少なくすることにより、通帳Ｐを袋状の凹部１２ａへ押し込む力を減少させる。この端縁１１ｃの曲線の中心は通帳Ｐの挿入方向側とすることにより、通帳Ｐの両端から袋状の凹部１２ａに導かれるので、装着が易くなる。
１３ａは台紙１３に貫設した抜孔で、通帳Ｐをアダプタ１に装着する時、及び取り外す時に利用されるもので、本図では両手の人差し指がそれぞれ裏面側より入る大きさで、並んで２個設けてある。
【００１１】
図５は通帳をアダプタに装着する時の工程図でもあり、通帳Ｐを中央頁で開き、図５（ａ）の矢印Ｄの方向から通帳Ｐをアダプタ１の凹部１２ａに嵌挿し、第１の通帳規制部１１ａの下側まで押し込む。次に、アダプタ１の抜孔１３ａを利用して、図５（ｂ）の矢印Ｅ方向より人差し指を挿入しで通帳Ｐを上方に撓ませ、その状態を維持し、続けて通帳Ｐの表面側より矢印Ｆの方向に親指で通帳上端の角部を第２の通帳規制部１１ｂの下側に挿入する。
通帳Ｐの撓みを元に戻す、即ち、人差し指を抜孔１３ａから抜くと図５（ｃ）に示すように、第２の通帳規制部１１ｂが通帳Ｐの角部の浮き上がりを規制する。
また、通帳Ｐをアダプタ１から取り外す時には、図５（ｂ）の矢印Ｅの向きに人差し指を差し入れて通帳Ｐを上方に撓ませ、第２の通帳規制部１１ｂから外す。その後、図５（ａ）の反矢印Ｄ方向に通帳Ｐをアダプタ１から引き抜いて取り外す。
【００１２】
このような形状とすると通帳Ｐの両端の角部を少量変形させることになるが、印刷領域Ｐａの範囲外であれば問題はない。また、成型にあたっては指示マーク１４や文字情報や図示情報を含めて一体成型することも可能であることは言うまでも無い。
図６は通帳を開いた状態を示す概念図であり、中央部に綴部Ｐｂが位置し、図示の右半分が印刷領域Ｐａを有する上頁側であり、下頁側Ｐｃには後述する磁気ストライプＭｓが設けられる。凹部１２ａの深さＨと嵌合する通帳Ｐの厚さｔは略一致させることが印刷する上で好ましい。従って、通帳Ｐの中央頁を開くとしても、通帳Ｐを構成する中紙枚数により厚さｔは変化してしまうので、印刷する通帳Ｐの中紙枚数により、図６に示すように開く頁を適宜変えることで対応する。
【００１３】
次に、本発明の通帳印刷用アダプタを用いた通帳印刷の動作を、図７に示す動作フローチャートにより説明する。なお、リムーバブル媒体としてＵＳＢメモリー、光ディスク又はデジタルカメラそのものからの画像読み出しも可能であるが、通帳Ｐに印刷する画像情報として「カラー写真」が持込まれた場合を説明する。また、Ｓは動作ステップを意味する。
Ｓ１. 金融機関の窓口で新通帳の発行処理が行われると、テラーが通帳Ｐを手にして、顧客を呼び出す。また、自動取引装置（ＡＴＭ）が通帳発行する場合には、通帳表紙に写真プリントするサービス案内表示を行う。
【００１４】
Ｓ２. 通帳Ｐを手にしたテラーは、顧客に対して通帳表紙への画像印刷を希望するか否かを口頭にて確認する。ここで、顧客が不要である旨を選択した場合や、写真や情報記録媒体を所有していない場合には、後日でも可能である旨を告げ、最終ステップに進める。
Ｓ３. 顧客が写真５ａを提示して表紙への印刷を希望すると、テラーはパソコン２およびイメージスキャナ３、更にはプリンタ４を起動させて、まず、イメージスキャナ３により写真５ａのイメージデータをパソコン２に取り込む操作を行う。なお、これらのイメージ画像の取り込み操作はパソコン２からの指示で動作するが、イメージスキャナ３側からでもよい。
Ｓ４. 制御部２３により、画像取り込みが終了すると表示部２２に取り込んだイメージ画像がカラー表示される。
【００１５】
Ｓ５. 表示されたイメージ画像に対して編集希望を問診する。即ち、顧客に対して画像の拡大や部分切り出し、更には配色(色相、色彩等)を修正するか、又は似顔絵に書き換えるかなどをと問う。なお、画像修正する必要が無ければステップＳ７に進める。
Ｓ６. テラー操作により顧客が希望する画像になるようにイメージ画像に修正を加える。これらの画像修正機能は汎用カラープリンタ等で周知であるので、細部の説明は省略する。
【００１６】
Ｓ７. テラーはアダプタ１を取り出して、通帳Ｐを図３に示す矢印Ｄ方向から凹部１２ａ内に嵌め込む。このとき、第２の通帳規制部１１ｂの下側に通帳左右の角部が導かれるようにする。
Ｓ８. テラーは、凹部１２ａに通帳Ｐが嵌め込まれたアダプタ１をプリンタ４に装着するとともに、プリンタ４に情報（ここでは画像情報となる）の印刷指示を発信する。
Ｓ９. プリンタ４は印刷命令を受信すると、印刷情報を図示しない記憶部４１に格納する共にアダプタ１の吸入搬送を開始する。この吸入搬送時には、アダプタ１の先端を図示しない光学的検知手段等で検出して、搬送管理される。
【００１７】
Ｓ１０. プリンタ４は印刷開始位置まで搬送すると、記憶部４１に格納した印刷情報の出力を開始する。プリンタ４は所定のカラーレベルに応じて印刷ヘッド４３に配してあるカラーインクのノズルを制御してカラー印刷する。
Ｓ１１．通帳Ｐへの印刷が終了すると、プリンタ４はパソコン２に対して印刷終了信号を送信する。制御部２３は記憶部２３１から排出時間情報を読み出して、当該時間が経過したらアダプタ１の排出指示を出す。プリンタ４はこの排出指示を受けるとアダプタ１を自動的に排出する。
このように、アダプタ１の排出時間は通帳表紙の材質とインクの相性による定着性や速乾性により、適宜決めてある。
【００１８】
Ｓ１２. 排出されたアダプタ１をプリンタ４から取り出す。続けて、通帳Ｐを反矢印Ｄ方向に引き抜いて、印刷良否を目視確認する。
Ｓ１３. 印刷状況が良好であれば、顧客に通帳Ｐを返却する。この時、預かっている写真５ａを同時に返却することは言うまでもない。テラーがキーボード部２１より、処理終了を意味する入力を行うと、制御部２３は印刷情報(画像)を消去して、パソコン２を待機状態にする。
【００１９】
次に、アダプタの本実施の形態の変形例を説明する。図８、図９は通帳印刷アダプタの他の実施の形態例を示す説明図であって、図８に示す第１の変形例から説明する。なお、図３に示したアダプタと異なる点のみを中心に説明する。
１５は表示窓であり、通帳Ｐを固定する状差し状の凹部１２ａを形成する第１の通帳規制部１１ａに挿入される通帳Ｐの磁気ストライプＭｓの位置および形状と略同一位置および形状を表現したものである。この表示窓１５は第１の通帳規制部１１ａに抜孔として設けても良いし、他と異なる着色帯としても良い。
【００２０】
通帳Ｐをアダプタ１ｂにセットする時、半透明の第１の通帳規制部１１ａから透けて見える通帳Ｐの磁気ストライプＭｓが、アダプタ１ｂの第１の通帳規制部１１ａの表示窓１５と重なることを目視で確認できる為、通帳Ｐをアダプタ１ｂに誤った方向で装着することが無くなるという効果が期待される。
【００２１】
１３ｂは長孔であって、先の実施の形態例で説明した２個の抜孔１３ａを結合させて、１個の長孔としたものである。
このようにすれば、テラーの指の長さに自由度が増すことや通帳Ｐの略中央部を片方の指(例えば、中指)で押し上げることにより、通帳Ｐの装着や取り外しができる。
【００２２】
図９（ａ）は、第２の変形例を示すもので、特に第１の通帳規制部１１ｄに示すように通帳Ｐの綴部Ｐｂを規制する部分のみが帯状となっており、通帳下頁Ｐｃ側を露出させる形状となる。従って、通帳下頁Ｐｃ側にも印刷することができる。また、開口部となっているので、事務用クリップ等が落ち込んでも露出孔１５ａよりの除去が容易となるという効果がある。
【００２３】
図９（ｂ）は、第３の変形例を示すもので、台紙１３側に抜孔１３ｃを設けたものであり、凹部１２ａからの通帳挿入時に異物や塵埃が入り込んでも、台紙１３の裏側に押し出すことができる。
【００２４】
図９（ｃ）は、第４の変形例を示すもので、先の実施の形態例では通帳Ｐの角部のみを第２の通帳規制部１１ｂで規制したが、本変形例では、通帳Ｐの上端側の全横幅域を規制するものである。また、露出孔１５ｂの大きさを通帳下頁Ｐｃより小さくしているので、通帳下頁Ｐｃ側の規制が確実になる。また、抜孔１３ｂは先の実施の形態例より大きくしてある。このようにすると、第２の通帳規制部１１ｅが通帳上端側を覆うので、顧客が持ち込んだ通帳Ｐに多少の変形があっても搬送や印刷不良を起こすことがない。
【００２５】
図９（ｄ）は、第５の変形例を示すもので、台紙１３に弾性変形部１３ｃを設けたものである。図示するように、略コ字状に切り込みを設けることにより、台紙１３の裏側より押し上げる力が作用すると矢印Ｅ方向に撓み、通帳Ｐを押し上げることができる。これにより、通帳に直接的に指が触れることが無くなり、取引記録直後であっても当該印刷面を指で汚すことがない。また、通帳Ｐの支持面積が増えるので、プリンタ４の印刷方式がインパクト式であっても印字音等の違和感を減少させることができる。
【産業上の利用可能性】
【００２６】
本発明の技術思想は上記に限定されない。本発明の実施例では、表面部、通帳保持部、台紙の三層（ピース）構成としているが、１ピースあるいは２ピース構成としても良い。即ち、通帳保持部と台紙を一体構成とすることや表面部をその一体構成した基材の一部に取り付けたものでもよい。また、基材自身をプラスチッツクに限定することなく弾性部材で製作してもよいし、紙製であってもよい。
更には、抜孔１３ａ、長孔１３ｂ、弾性変形部１３ｃおよび第１の通帳規制部１１ａ、１１ｄおよび第２の通帳規制部１１ｂ、１１ｅ、１１ｆの何れの組み合わせであっても良い。
【図面の簡単な説明】
【００２７】
【図１】本発明の通帳印刷用アダプタの概念図である。
【図２】本発明の通帳印刷用アダプタの使用する通帳印刷システムの概念図である。
【図３】本発明の通帳印刷用アダプタの使用概念図（斜視図）である。
【図４】図３のＣＣ断面図である。
【図５】本発明の通帳印刷用アダプタの使用概念図(通帳装着時)である。
【図６】本発明の通帳を開いた状態を示す概念図である。
【図７】本発明の通帳印刷用アダプタの使用した通帳印刷システムの動作フローチャートである。
【図８】本発明の通帳印刷用アダプタの他の変形例を示す概念図である。
【図９−１】本発明の通帳印刷用アダプタの他の変形例を示す概念図である。
【図９−２】本発明の通帳印刷用アダプタの他の変形例を示す概念図である。
【符号の説明】
【００２８】
１，１ｂ，１ｃ，１ｄ，１ｅ，１ｆ  通帳印刷用アダプタ(アダプタ)
１１    表面部
１１ａ  第１の通帳規制部
１１ｂ  第２の通帳規制部
１１ｃ  端縁
１２    通帳保持部
１２ａ  凹部
１３    台紙
１３ａ  抜孔
Ｐ      通帳
Ｐａ    印刷領域
Ｐｂ    綴部
Ｐｃ    通帳下頁
【図１】
2007317115.tif 000003
【図２】
2007317115.tif 000004
【図３】
2007317115.tif 000005
【図４】
2007317115.tif 000006
【図５】
2007317115.tif 000007
【図６】
2007317115.tif 000008
【図７】
2007317115.tif 000009
【図８】
2007317115.tif 000010
【図９−１】
2007317115.tif 000011
【図９−２】
2007317115.tif 000012